(57)【要約】【課題】  カメラ設置装置に対して特殊な加工や工夫を施すことなく、カメラ設置装置を背負って運搬できるようにすること。【解決手段】  バッグ３のまち３１を挟んで相対向する一対の面３２，３３のうち、開閉可能とされた一方の面３２を背負い面とすると共に、他方の面３３をカメラ設置装置２の保持面として、バッグ３及び雲台２１に背負いベルト４の上端部を連結する。他方、背負いベルト４の左右の下端部をバッグ３の底面側で互いに交差させると共に、当該左右の下端部のフック体４２６１Ｌ，４２６１Ｒを、３本の脚２２のうち、他方の面３３に沿って近接又は離間する２本の脚に巻き付け固定された引っ掛けベルト５に連結する。【選択図】  図１
2005299908.tif 000002
【特許請求の範囲】
【発明の詳細な説明】
【技術分野】
【０００１】  本発明は、カメラ設置装置を背中で背負って運搬する際に利用される運搬具に関する。
【背景技術】
【０００２】  一般的には、カメラで撮影を行う際の重要なアイテムの１つとして、撮影ポイントにおいてカメラを安定させた状態で設置するためのカメラ設置装置を挙げることができる。このカメラ設置装置は複数の種類に大別されるが、そのうちの、カメラが着脱される雲台、及びこの雲台に対して開閉自在とされた３本の脚を備えたカメラ設置装置は、一般に三脚と称され、プロ又はアマを問わずカメラマン達の間で広く愛好され使用されている。【０００３】  上記のカメラや三脚と称されるカメラ設置装置を含む、所要の撮影機材を運搬する際には、その運搬場所が近くであれば、カメラやカメラ設置装置を手に持ったり又は肩に担いだりして運搬し、その他のバッグに入る機材については、当該機材を収納したバッグを背負って運搬することが普通である。他方、運搬場所が遠い場合にはバイクや自動車等が使われ、バイクのときには、バイクの荷台等にカメラ設置装置を載せ、その他の機材は、当該機材を入れたバッグを背負って運搬することが普通である。【０００４】  上記三脚と称されるカメラ設置装置の典型的な例としては、特許文献１、特許文献２及び特許文献３にて提案されているものを挙げることができる。【０００５】  特許文献１には、上記３本の脚のうち２本の脚の上端部間に横架した上部横桟に上記雲台を取り付けると共に上記２本の脚の中間部に横架した下部横桟に荷受け板を取り付けることによって、上部横桟と下部横桟との間に背負いベルトを連結して荷受け板上に荷物を置いた状態で全体を背負うことができるようにしたカメラ設置装置が開示されている。【０００６】  特許文献２には、上記３本の脚のうち２本の脚の上端部間に横架した上部横桟に上記雲台を取り付けると共に上記横桟の両端に垂設された縦桟の下端部間に横架した下部横桟に荷受け板を取り付けることによって、上部横桟と縦桟との間に背負いベルトを連結して荷受け板上に荷物を置いた状態で全体を背負うことができるようにしたカメラ設置装置が開示されている。【０００７】  特許文献３には、上記３本の脚のうち２本の脚の上端部間に横架した上部横桟及び当該２本の脚の中間部間に横架した下部横桟に荷受け板を取り付けることによって、上部横桟と下部横桟との間に背負いベルトを連結して荷受け板上に荷物を置いた状態で全体を背負うことができるようにしたカメラ設置装置が開示されている。【０００８】
【特許文献１】      特開平９−２６０８６号公報
【０００９】
【特許文献２】      特開平９−４２５８９号公報
【００１０】
【特許文献３】      特開平１０−８９５９１号公報
【発明の開示】
【発明が解決しようとする課題】
【００１１】  従来は、運搬場所が近い場合には、運搬態様がどうしても片手あるいは両手でカメラやカメラ設置装置などを持ったり又は支えたりすることになるため、片手あるいは両手の自由が損なわれるという不便がある。他方、運搬場所が遠い場合には、カメラをカメラ設置装置の雲台から取り外してそれらを分解して運搬しなければならないという不便がある。特に、背中に背負ったバッグに脚を入れて運搬すると、手の自由がある程度は保たれるようになるけれども、大形のカメラ設置装置は、バッグに入らないためにそのようなことをすることができない。【００１２】  これに対し、上記特許文献１〜３にて開示されているカメラ設置装置は、上記背負いベルトを使って上記荷受け板の上に荷物を置いた状態でカメラ設置装置を背負うことができるので、撮影機材を運搬するときに両手を自由に使用することができるという利点がある。【００１３】  しかしながら、特許文献１〜３に係るカメラ設置装置では、上記上部横桟や下部横桟を上記２本の脚に連結する必要があり、しかもカメラを設置するための上記雲台が上記上部横桟に取り付けられているので、その構造が特殊なものとなり、一般的な三脚、即ち雲台にヒンジ機構を介して３本の脚が直接に連結されているようなカメラ設置装置には適用することができない。そのため、汎用性に欠ける。加えて、上記３本の脚のうち２本の脚が上記下部横桟によって運搬中に開いた姿勢に保たれるため、運搬時の形態が大となるという問題がある。【００１４】  本発明は、上記技術的課題に鑑みなされたもので、バッグに入れて運搬しにくい、あるいはバッグに入れて運搬することのできない、カメラ設置装置に対して特殊な加工や工夫を施すことなく、当該カメラ設置装置を背負って運搬できるカメラ設置装置運搬具を提供することを目的とする。
【課題を解決するための手段】
【００１５】  上記目的を達成するため、本発明は、カメラが着脱される雲台、及びこの雲台に対して開閉自在とされた３本の脚を備えたカメラ設置装置を背負って運搬できるようにした運搬具であって、このカメラ設置装置運搬具は、まち、及びこのまちを挟んで相対向する一対の面によって所要の撮影機材を含む荷物を収容する収容空間が区画形成されると共に当該一対の面のうち一方の面が開閉可能とされたバッグと、このバッグの一対の面のうち開閉可能とされた一方の面を背負い面とすると共に他方の面をカメラ設置装置保持面として、当該バッグに着脱自在に装着される背負いベルトと、一端部に第１の係合部材が取り付けられ、上記３本の脚のうち上記バッグのカメラ設置装置保持面とされる他方の面に沿って互いに近接又は離間する方向に開閉する２本の脚の所定部位にそれぞれ着脱自在に巻き付けられる２本の引っ掛けベルトとを含み、上記背負いベルトは、左右両端にそれぞれ第１の嵌合部材が取り付けられた、左右に長い主紐と、この主紐の外面に上端部が左右方向に所定間隔を開けた状態で吊り下げされると共に下端部に第２の係合部材が取り付けられた、上下に長い左右一対の肩紐と、上記主紐の内面中央部に縫い合わされ、上記雲台に巻き付けられる、左右に長い保持紐とを備え、上記カメラ設置装置保持面とされる他方の面の所定位置には、上記主紐の左右両端の第１の嵌合部材と挿抜自在に雄雌嵌合される一対の第２の嵌合部材が左右方向に所定間隔を開けた状態で取り付けられ、上記左肩用及び右肩用の肩紐の第２の係合部材は、それぞれ、上記バッグの底面側で当該左肩用及び右肩用の肩紐の下端部を互いに交差させた状態で、上記２本の脚に巻き付けられた各引っ掛けベルトの第１の係合部材に係合される。このように、交差させているため、上記バックを背負ったときに、そのバックの重みで三脚を上記バック側に引き寄せて、当該バックと前記三脚との一体化をより強固なものとして、前記バックを背負っていても違和感がないように促すとともに、前記バックの重量によって三脚を開いた状態から自然に畳まれる力が作用することになるため、前記三脚の畳む作業を容易なものとすることが可能となる。勿論、左肩用及び右肩用の肩紐を上記バックの底面側で交差させることなく、後述するような図１５における符号３１Ｃのリング（結束部材）を用いることによって、当該リングを介して左肩用の肩紐を前記三脚の左の脚に係合させ、右肩用の肩紐を前記三脚の右の脚に係合させることによっても、左肩用の肩紐を前記三脚の右の脚に係合させ、右肩用の肩紐を前記三脚の左の脚に係合させる、所謂襷がけと同じような作用で、前記バックを背負うだけで、三脚の脚を畳む方向の力が作用することになる。【００１６】  上記カメラ設置装置を背負って運搬するときに、上記バッグの上面とされる側のまちには、当該まちと共に上記左肩用及び右肩用の肩紐を挿通する挿通空間を区画する把手が取り付けられ、他方上記バッグの底面とされる側のまちには、上記左肩用及び右肩用の肩紐の下端部を挿通させて当該左肩用及び右肩用の肩紐を互いに交差させるための３つの挿通部材が線対称の三角関係をなすように取り付けられ、これら３つの挿通部材のうち、上記三角関係の頂点をな��中央挿通部材は、上記左肩用及び右肩用の肩紐の挿通方向下流側であって上記カメラ設置装置保持面とされる他方の面側に配置され、他方上記三角関係の底辺をなす左右の挿通部材は、上記左肩用及び右肩用の肩紐各々の挿通方向上流側であって上記背負い面とされる一方の面側に中央挿通部材を挟んで等間隔を開けた状態で配置されている。【００１７】  上記構成によれば、カメラ設置装置を背中で背負って運搬する際に、当該カメラ設置装置をバランスよく３点で支持しながら運搬できる。また、上記運搬時に、背負いベルトの肩紐が肩に喰い込んだり又は首筋に摺れたりするのを防止でき、運搬者に肉体的な負荷を与えないで済む。【００１８】  上記引っ掛けベルトは、上記脚に巻き付けられる長手のベルト本体と、このベルト本体の一端部に上記第１の係合部材よりも一端側に所定間隔を開けて挿通された締め付け部材と、上記ベルト本体の一端部の内面において上記第１の係合部材及び締め付け部材同士を隔てるように当該ベルト本体の長手方向と直交する方向に沿って配置された短冊状の結束体とを備え、上記ベルト本体の一端側の余長部を他端側に向かって折り返して上記第１の係合部材及び締め付け部材並びに上記結束体を挟み込んで上記ベルト本体の基部の内面に結合させることによってＴ字状をなし、上記ベルト本体の外面の所定領域には、上記ベルト本体の上記脚への巻き付け状態を保持するための面状ファスナが取り付けられ、上記結束体の両自由端部の内面には、互いに雄雌嵌合により結合される止め具が取り付けられている。【００１９】  上記構成によれば、引っ掛けベルトを脚に対して強固に巻き付け固定することができる。【００２０】  上記折り返されたベルト本体の一端側の余長部は、滑り止め部とされている。【００２１】  上記構成によれば、脚に巻き付ける際の引っ掛けベルトの滑りや脚に巻き付けられた引っ掛けベルトの位置ずれを防止できる。【００２２】  上記バッグの収容空間に収容される所要の撮影機材としては、カメラはもとより、交換レンズやレンズフィルタなどを例示することができる。これらの撮影機材は、精密機器や精密加工が施されたものであって、外からの衝撃により損傷を受けやすい。【００２３】  そこで、上記カメラ設置装置運搬具では、上記バッグの外面は、軟質部材で覆われ、他方上記バッグのまち及びカメラ設置装置保持面となる他方の面の内面は、硬質部材で覆われている。【００２４】  上記構成によれば、バッグの収容空間は内面側の硬質部材により補強されているので、バッグ内に収容した撮影機材は、外からの衝撃によって損傷を受けにくくなる。また、バッグが実質的には強固な構造となっているのにも拘わらず、外観はソフトな感じを与えるので、バッグの見栄えもよくなる。【００２５】  また、上記バッグの収容空間を縦横に仕切るための複数の仕切り板をさらに含み、上記硬質部材の外面には、複数の係止溝が上記収容空間の奥行き方向に沿って貫通して形成され、上記各仕切り板の主要部の内外両面には、複数の係止溝が当該仕切り板の幅方向に沿って貫通して形成され、上記各仕切り板の長さ方向に沿う周端部は、上記まち側の係止溝及び／又は他の仕切り板側の係止溝に係止される。【００２６】  上記構成によれば、仕切り板を自由に組み合わせてバッグの収容空間を縦横に仕切れるので、使用者は、自身が使い勝ってのよいように撮影機材を整理した状態でバッグ内に収容することができる。また、仕切り板は、３方向から係合溝と係合することによって支持されるので、相対的に重量の重い荷物をバッグ内に収容したとしても十分に耐え得る強度を確保できる。
【発明の効果】
【００２７】  （１）カメラ設置装置を運搬するに際しては、まず、３本の脚のうち、バッグのカメラ設置装置保持面とされる他方の面に沿って互いに近接又は離間する方向に開閉する２本の脚の所定部位各々に引っ掛けベルトが巻き付け固定される。他方、背負いベルトの主紐が雲台に引っ掛けられた後、背負いベルトの保持紐が雲台に巻き付け固定されると共に、主紐の第１の嵌合部材及び上記カメラ設置装置保持面とされる他方の面の第２の嵌合部材同士が雄雌嵌合されてバッグと背負いベルトとが連結される。その後、バッグの底面側で背負いベルトの左肩用及び右肩用の肩紐各々の下端部が互いに交差されて当該肩紐各々の第２の係合部材が上記２本の脚各々に巻き付け固定された引っ掛けベルトの第１の係合部材に係合されれる。この状態で、背負いベルトの左肩用及び右肩用の肩紐の内側に左右の腕を通せば、カメラ設置装置を背中で背負うことができる。このとき、両手は自由状態となっているので、バイクや自転車に乗ってカメラ設置装置を運搬することも可能となると共に、所要の撮影機材を含む荷物を収容したバッグと共にカメラ設置装置を背負って運搬できる。このように、カメラ設置装置に対して特殊な加工や工夫を施すことなく、カメラ設置装置、即ち一般的な構造を有する三脚を背負って運搬できるから、本カメラ設置装置運搬具は、極めて汎用性に富んだものとなる。【００２８】  （２）背負いベルトの主紐及び保持紐をそれぞれカメラ設置装置の雲台及びバッグに連結し、他方背負いベルトの左肩用及び右肩用の肩紐の下端部をカメラ設置装置の上記２本の脚に連結することによって、バッグは、カメラ設置装置及び背負いベルトの両者の間で挟まれた状態で吊り下げられることになる。そのため、カメラ設置装置の荷重は、上記２本の脚を閉じ合わせる方向に作用する。その結果、カメラ設置装置をバッグと共に背負ったときには、当該作用力によって上記２本の脚が互いに上記他方の面に沿って自動的に近接する。また、上記肩紐の下端部の実長を長くするようにすれば、上記２本の脚を自由に開いた状態でカメラ設置装置を背負って運搬することができる。さらに、上記運搬時に、カメラ設置装置は、上記カメラ設置装置保持面とされる他方の面に押し付けられるので、当該カメラ設置装置を安定的に保持した状態で背負って運搬することができる。【００２９】  （３）撮影ポイントにおいては、バッグを吊り下げた状態でそのまま脚を開いてカメラ設置装置を設置することができる。このとき、運搬時に背負い面とされたバッグの一方の面が撮影者と正対する。そのため、バッグとカメラ設置装置とを分離させることなく、一方の面を開いてバッグ内に収容された撮影機材やその他の荷物を取り出せる。加えて、盗難や置忘れを未然に防止できる。【００３０】  （４）上述したように、脚をコンパクトに閉じ合わせた状態でカメラ設置装置を背中で背負って運搬することができるのみならず、脚を開いたままの状態でカメラ設置装置を背中で背負って運搬することもできる。そのため、脚を閉じ合わせた状態でカメラ設置装置を背負って運搬した場合には、その運搬形態を小とすることができる。他方、撮影ポイントを一の場所から近くの他の場所に移す場合には、上記先の撮影ポイ���トとしての一の場所で雲台に装着したカメラを取り外さずに脚を開いたままの状態でカメラ設置装置を背負って上記他の場所に運搬するようにすれば、上記後の撮影ポイントとしての他の場所では、脚が開いているカメラ設置装置をそのまま設置して即座に撮影を開始することができる。【００３１】  （５）撮影機材を自動車で運搬する場合には、背負いベルトをカメラ設置装置に取り付けた状態で車の床面に立て、脚に巻き付けられた引っ掛かりベルトから取り外した背負いベルトを自動車の座席などに結び付けておけば、自動車で運搬中にカメラ設置装置の横倒れなどを防止できる。
【発明を実施するための最良の形態】
【００３２】  以下、本発明の実施の形態を添付図面に基づき詳細に説明する。【００３３】＜実施の形態１＞
図１〜図３を参照して、本実施の形態１に係るカメラ設置装置運搬具は、カメラ１が装着されるカメラ設置装置２を背中で背負って運搬する際に利用されるものであって、バッグ３、背負いベルト４及び２本の引っ掛けベルト５を備えている。【００３４】  カメラ設置装置２は、昇降自在に設けられ、カメラ１が着脱される雲台２１と、この雲台２１にヒンジ機構を介して開閉自在に取り付けられた３本の脚２２とを備た、一般的な構造を有する三脚である。【００３５】  ３本の脚２２は、それぞれ、釣竿のように伸縮自在とされ、これらの脚２２の基部各々が上記ヒンジ機構を介して雲台２１に連結されている。【００３６】  図４〜図９を参照して、バッグ３は、箱形形状を有しており、所定の幅寸法を有するまち３１と、このまち３１を挟んで相対向する一対の面３２，３３とを備えている。このバッグ３では、まち３１及び一対の面３２，３３によってカメラ１や交換レンズ、レンズフィルタなどの撮影機材を含む荷物を収容するための収容空間が区画形成されていると共に、上記一対の面３２，３３のうち一方の面３２がファスナを介して開閉可能とされている。【００３７】  バッグ３のまち３１の外郭は、アルミニウムなどの軽い材料を素材として製作された略四角形の枠体３４で区画形成されている。このバッグ３の外面は、布や皮などの軟質部材６で覆われている。他方、バッグ３のまち３１（枠体３４）及び上記カメラ設置装置保持面とされる他方の面３３の内面は、ウレタンなどの発砲樹脂を素材として製作された硬質部材７で覆われている。したがって、バッグ３の収容空間は内面側の硬質部材７により補強されているので、バッグ３内に収容したカメラ１や交換レンズ、レンズフィルタなどの撮影機材は、外からの衝撃によって損傷を受けにくくなる。また、バッグ３が実質的には強固な構造となっているのにも拘わらず、外観はソフトな感じを与えるので、バッグ３の見栄えもよくなる。【００３８】  上記バッグ３の収容空間は、複数の仕切り板８１，８２によって縦横に仕切られる。これら仕切り板８１，８２は、それぞれ、薄板状の芯材８１１，８２１を硬質部材８１２，８２２でサンドイッチして構成されている。芯材８１１，８２１は、ベニアなどの合板を素材して製作され、他方硬質部材８１２，８２２は、ウレタンなどの発泡性樹脂を素材として製作されている。バッグ３のまち３１及び他方の面３３の内面を覆う硬質部材７には、多数の凹溝７１が一定間隔毎に上記収容空間の奥行き方向に沿って規則的に貫通して形成されている。これに対し、上記収容空間内に縦向きにして挿入される仕切り板８１及び横向けにして挿入される仕切り板８２の両者の硬質部材８１２，８２２の内外両面には、多数の凹溝８１３，８２３が一定間隔毎に当該仕切り板８１，８２の幅方向に沿って規則的に貫通して形成され、他方仕切り板８１，８２の長さ方向に沿う両端部においては、芯材８１１，８２１の周端部がまち３１側の凹溝７１及び／又は仕切り板８１，８２側の凹溝８１３，８２３に係止されるように硬質部材８１２，８２２から露呈している。したがって、仕切り板８１，８２を自由に組み合わせてバッグ３の収容空間を縦横に仕切れるので、使用者は、自身が使い勝ってのよいよう��撮影機材を整理した状態でバッグ３内に収容することができる。また、仕切り板８１，８２は、３方向から上記凹溝７１及び８１３，８２３と係合することによって支持されるので、相対的に重量の重い荷物をバッグ３内に収容したとしても十分に耐え得る強度を確保できる。【００３９】  図１０を参照して、背負いベルト４は、バッグ３の一対の面３２，３３のうち開閉可能とされた一方の面３２を背負い面とすると共に他方の面３３をカメラ設置装置保持面として、当該バッグ３に着脱自在に装着される。この背負いベルト４は、主紐４１、左肩用及び右肩用の肩紐４２Ｌ，４２Ｒ及び保持紐４３を備えており、略線対称形状を有している。前記一方の面３２は、図４に示すように、厚手のクッション材で構成されており、このクッション材は、バック３の外表面から内方に突出するように設けられているから、バッグ３の開口及び一方の面３２としての蓋の外周に設けられたファスナーで蓋をした使用状態においては、前記クッション材からなる一方の面が仕切り版８１，８２に押し付けられ、当該クッション材が仕切り版で区画された部位に突出配置されるようになる結果、区画された部位に収納された部材が他の区画された部位に入り込まないようにストッパー的な役割を担うことになる。このクッション材は、近年、寝具などで良く利用される低反発発砲材料で構成することも可能である。また、前記クッション材は、従来のカバンと同様に、バック３を背負ったときの背中への当たりを良好とするように機能する。
なお、図２，４，５，１５は、いずれもカバン３の蓋（一方の面３２に相当）を開いて内部が視認できるように図示されているが、このような状態はカバン３を背負って移動する場合の使用状態には相当しないもので、この使用状態では、カバン３の内部が視認できないように、図５に図示する一方の面３２としての蓋の外周とバッグ３の開口に設けられたファスナーによって閉塞されるのは勿論である。【００４０】  図１１も参照して、主紐４１は、左右に長い帯状の紐であって、その左右両端部は、それぞれ、雌バックル４１１Ｌ，４１１Ｒに対して当該主紐４１の実質的な長さ寸法を調整できるように挿通されている。具体的には、主紐４１の左端が雌バックルクランプ４１１Ｌに下側から挿通され更にその余長部が右端側に向かって折り返されて雌バックル４１１Ｌに挿通されている。他方、主紐４１の右端が雌バックル４１１Ｒに下側から挿通され更にその余長部が左端側に向かって折り返されて雌バックル４１１Ｒに挿通されている。このように主紐４１の両端部を構成することによって、主紐４１の左肩用及び右肩用の余長部の長さを長くしたり又は短くしたりできるから、上記主紐４１の実長をバッグ３の大きさ（まち幅）に合わせて調整できる。【００４１】  雌バックル４１１Ｌ，４１１Ｒは、合成樹脂を素材とした成形品である。これら雌バックル４１１Ｌ，４１１Ｒの内部には、嵌合室４１１１が左右方向に沿って貫通して形成されており、両側部には、円弧状の切欠４１１２が形成されている。嵌合室４１１１は、短冊状の中央舌片４１１３により２分割されている。【００４２】  図１２及び図１３も参照して、左肩用及び右肩用の肩紐４２Ｌ，４２Ｒは、上下に長く、その上端部がそれぞれ左右方向に所定間隔を開けて主紐４１の外面に縫い合わされることによって主紐４１に吊持されている。これら左肩用及び右肩用の肩紐４２Ｌ，４２Ｒは、それぞれ、柔軟材を内包した上下に長い肩パット４２３Ｌ，４２３Ｒの外面に縫い合わされ且つ上下の長さが当該肩パット４２３Ｌ，４２３Ｒよりも長い主帯体４２４Ｌ，４２４Ｒと、上端部が主紐４１に縫合されると共に下端部が主帯体４２４Ｌ，４２４Ｒの上端部に連結される上帯体４２５Ｌ，４２５Ｒと、下端部が引っ掛けベルト５に連結されると共に上端部が主帯体４２４Ｌ，４２４Ｒの下端部に連結される下帯体４２６Ｌ，４２６Ｒとを備え、当該肩紐４２Ｌ，４２Ｒの実質的な長さ寸法を調整可能に構成されている。具体的には、主帯体４２４Ｌ，４２４Ｒの上端が下側からクランプ４２７Ｌ，４２７Ｒに挿入され更に下端側に向かって折り返してクランプ４２７Ｌ，４２７Ｒに挿通され、他方上帯体４２５Ｌ，４２５Ｒの下端が下側からクランプ４２７Ｌ，４２７Ｒに挿通され更にその余長部が上端に向かって折り返してクランプ４２７Ｌ，４２７Ｒに挿通されると共に、当該余長部が上帯体４２５Ｌ，４２５Ｒの基部の内面に縫い合わされている。これに対し、主帯体４２４Ｌ，４２４Ｒの下端が下側からクランプ４２８Ｌ，４２８Ｒに挿通され更にその余長部が上端側に向かって折り返してクランプ４２８Ｌ，４２８Ｒに挿通されると共に、当該余長部が肩パット４２３Ｌ，４２３Ｒの内面に縫い合わされ、他方下帯体４２６Ｌ，４２６Ｒの上端が下側からクランプ４２８Ｌ，４２８Ｒに挿通され更にその余長部が上端に向かって折り返してクランプ４２８Ｌ，４２８Ｒに挿通されている。このように主帯体４２４Ｌ，４２４Ｒ及び上帯体４２５Ｌ，４２５Ｒ同士の連結部並びに主帯体４２４Ｌ，４２４Ｒ及び下帯体４２６Ｌ，４２６Ｒ同士の連結部を構成することによって、主帯体４２４Ｌ，４２４Ｒ及び下帯体４２６Ｌ，４２６Ｒの両者の余長部の流さを長くしたり又は短くしたりできるから、上記肩紐４２Ｌ，４２Ｒの実長を運搬者の体つきに合わせて調整することができる。その結果、カメラ設置装置２をバランスよく背負って運搬することができる。なお、クランプ４２４７Ｌ，４２４７Ｒは、合成樹脂を素材とした成形品である。【００４３】  下帯体４２６Ｌ，４２６Ｒの下端部には、鉤形形状を有する金属製のフック体４２６１Ｌ，４２６１Ｒが取り付けられている。【００４４】  保持紐４３は、左右に長い帯状の紐であって、雲台２１に巻き付け固定される。この保持紐４３は、主紐４１の内面の中央部に縫い合わされている。【００４５】  図１４を参照して、引っ掛けベルト５は、上記３本の脚２２のうち上記バッグ３のカメラ設置装置保持面とされる他方の面３３に沿って互いに近接又は離間する方向に開閉する２本の脚の基部の下部に着脱自在に巻き付け固定される。引っ掛けベルト５は、合成繊維などを素材として製作され、上記脚２２に巻き付けられる長手のベルト本体５１と、このベルト本体５１の一端部に挿通された金属製のリング５２と、ベルト本体５１の一端部においてリング５２よりも一端側に所定間隔を開けて挿通された、金属から成る環状の締め付け部材５３と、ベルト本体５１の一端部の内面においてリング５２及び締め付け部材５３同士を隔てるように当該ベルト本体５１の長手方向と直交する方向に沿って配置された短冊状の結束体５４とを備え、ベルト本体５１の一端側の余長部を他端側に向けて折り返してリング５２及び締め付け部材５３並びに結束体５４を挟み込んでベルト本体５１の基部の内面に結合することによってＴ字状をなしている。【００４６】  ベルト本体５１の結束体５４との交差領域の外面、及びこの交差領域と間隔を隔てたベルト本体５１の基部５１１の所定領域には、それぞれ、面状ファスナ５５，５６が貼り付けられている。【００４７】  本実施の形態１においては、上記面状ファスナ５５，５６として、いわゆるフック型面状ファスナが採用されている。具体的には、面状ファスナ５５は、一方の基材面に１本の太い短繊維から形成された多数のフック型の係合素子を有する雄型面状ファスナとされる一方、面状ファスな５６は、他方の基材面に多数のループを有する雌型面状ファスナとされ、当該面状ファスナ５５の各フック型係合素子及び当該面状ファスナ５６の各ループ同士が引っ掛かり合って所期の係合力を発揮する。代替的に、上記面状ファスナ５５，５６として、いわゆるマッシュルーム型面状ファスナを採用しても構わない。【００４８】  結束体５４の両自由端部には、互いに雄雌嵌合により結合するホック５７，５８が取り付けられている。この結束体５４の上側自由端部の雄ホック５７及び下側自由端部の雌ホック５８は、ベルト本体５１を挟んで当該ベルト本体５１に対して等間隔を開けて配置されている。【００４９】  上記折り返されたベルト本体５１の一端側の余長部外面には、摩擦係数が大きい素材が貼り付けられ、当該余長部の外面が滑り止め部５９とされている。【００５０】  上記引っ掛けベルト５を上記２本の脚２２に巻き付け固定する際には、まず、滑り止め部５９が当該脚２２に接触するようにベルト本体５１を巻き付けて当該ベルト本体５１の他端部を締め付け部材５３に挿通する。この状態からベルト本体５１の他端部を更に折り返してベルト本体５１を締め付けた後、面状ファスナ５５と面状ファスナ５６とを接着させる。次に、面状ファスナ５５及び面状ファスナ５６同士の接着部分に結束体５４を巻き付け、雄ホック５７及び雌ホック５８を雄雌嵌合して結束体５４を固定する。このとき、面状ファスナ５５及び面状ファスナ５６同士が接着されることによって、引っ掛けベルト５を上記２本の脚２２に撓むことなく強固に巻き付け固定することができる。勿論、引っ掛けベルト５の長さ寸法は、上記脚２２の周長よりも十分に長く設定されているので、脚２２の太さの変化にも容易に対処できる。その結果、引っ掛けベルト５は、汎用性に優れたものとなる。また、ベルト本体５１を締め付け部材５３を利用して折り返して上記脚２２に締め付けることができるので、この点においても、引っ掛けベルト５を上記脚２２に強固に巻き付けることが可能となる。なお、引っ掛けベルト５が巻き付け固定される脚２２が角形であっても、当該引っ掛けベルト５を当該角形の脚２２に強固に巻き付け固定できることは云うまでもない。【００５１】  特に、巻き付け時に上記脚２２に接触する、ベルト本体５１の余長部の外面を滑り止め部５９としているので、当該脚２２に巻き付ける際の引っ掛けベルトの滑りや当該脚２２に巻き付け固定された引っ掛けベルト５の位置ずれを防止できる。【００５２】  図６を参照して、上記バッグ３の上記カメラ設置装置保持面とされる他方の面３３に形成されたポケット３４の開口の上方には、一対の雄バックル３３１Ｌ，３３１Ｒが左右方向に所定間隔を開けた状態で取り付けられている。これらの雄バックル３３１Ｌ，３３１Ｒは、合成樹脂を素材とした成形品であって、主紐４１の左肩用及び右肩用の雌バックル４１１Ｌ，４１１Ｒ各々に挿抜自在に雄雌嵌合される。これら雄バックル３３１Ｌ，３３１Ｒは、上記ポケット３４内で上記他方の面３３に縫い合わされる帯状の紐９が折り返して挿通される基体３３１１と、この基体３３１１により肩持ち支持された３本の係止爪３３１２Ｃ，３３１２Ｌ，３３１２Ｒとを備え、係止爪３３１２Ｃ，３３１２Ｌ，３３１２Ｒを上方に向けた状態で同一線上に配置されている。【００５３】  中央係止爪３３１２Ｃは、相対向する一対の片部によりＵ字状空間を区画しており、雌バックル４１１Ｌ，４１１Ｒとの嵌合時にその嵌合室４１１１内の中央舌片４１１３に当接することによって弾性変形する。このとき、中央係止爪３３１２ＣのＵ字状空間を区画する一対の片部は、互いに離間するように外方に向かって拡開し、当該中央舌片４１１３のＵ字状空間内への進入を許す。このとき、左右の係止爪３３１２Ｌ，３３１２Ｒは、上記嵌合室４１１１の内側壁との当接��により互いに近接するように内方に向かって弾性変形する。上記中央舌片４１１３の上記Ｕ字状空間への進入が完了したときには、左右の係止爪３３１２Ｌ，３３１２Ｒは、上記当接力から解放されて弾性復元し雌バックル４１１Ｌ，４１１Ｒの切欠４１１２に係止する。【００５４】  図４〜図７を参照して、カメラ設置装置２を背負って運搬するときに、上記バッグ３の上面とされる側のまち３１には、当該まち３１と共に左肩用及び右肩用の肩紐４２Ｌ，４２Ｒを挿通する挿通空間を区画する把手３５が取り付けられ、他方上記バッグ３の底面とされる側のまち３１には、左肩用及び右肩用の肩紐４２Ｌ，４２Ｒの下端部を挿通させて当該左肩用及び右肩用の肩紐４２Ｌ，４２Ｒを互いに交差させるための３つのリング体３１Ｃ，３１Ｌ，３１Ｒが線対称の三角関係をなすように取り付けられている。【００５５】  図７によく示されているように、３つのリング体３１Ｃ，３１Ｌ，３１Ｒのうち、上記三角関係の頂点をなす中央リング体３１Ｃは、左肩用及び右肩用の肩紐４２Ｌ，４２Ｒの挿通方向下流側であって上記カメラ設置装置保持面とされる他方の面３３側に配置され、他方上記三角関係の底辺をなし、左肩用の肩紐４７Ｌ及び右肩用の肩紐４２Ｒ各々を挿通させるための左右のリング体３１Ｌ，３１Ｒは、肩紐４２Ｌ，４２Ｒ各々の挿通方向上流側であって上記背負い面とされる一方の面３２側に中央リング体３１Ｃを挟んで等間隔を開けた状態で配置されている。【００５６】  上記のように、バッグ３の上面に背負いベルト４の左肩用及び右肩用の肩紐４２Ｌ，４２Ｒを挿させるための把手３５を設け、他方バッグ３の底面に背負いベルト４の下端部を挿通させて互いに交差させるための３つのリング体３１Ｃ，３１Ｌ，３１Ｒを設けることにより、カメラ設置装置２を背中で背負って運搬する際に、当該カメラ設置装置２をバランスよく３点で支持しながら運搬できる。また、この運搬時に、上記左肩用及び右肩用の肩紐４２Ｌ，４２Ｒが肩に喰い込んだり又は首筋に摺れたりするのを防止でき、運搬者に肉体的な負荷を与えないで済む。【００５７】  なお、代替的に、上記バッグ３の底面に３つの凸部を上記の三角関係が成立するように設け、各凸部に上記左肩用及び右肩用の肩紐４２Ｌ，４２Ｒの下端部を挿通するための孔を形成するようにしても構わない。【００５８】  カメラ設置装置２を運搬するに際しては、まず、３本の脚２２のうち、バッグ３のカメラ設置装置保持面とされる他方の面３３に沿って互いに近接又は離間する方向に開閉する２本の脚の基部５１１の下部各々に引っ掛けベルト５を巻き付け固定する。他方、背負いベルト４の左肩用及び右肩用の肩紐４２Ｌ，４２Ｒをバッグ３の把手３５内に挿通する。次に、雲台２１を上昇させて脚２２との間に隙間間隔を開け、この状態で雲台２１を支持する棒材に所定のリング部材（図示せず）を嵌め込んで当該隙間間隔を確保する。続いて、上記棒材に主紐４１を引っ掛けた後、更に保持紐４３を上記リング部材の上から巻き付けて当該保持紐４３の両端部同士を玉結びや二重結びして棒材２１２に固定すると共に、主紐４１の雌バックル４２２Ｌ，４２２Ｒ及び上記カメラ設置装置保持面とされる他方の面３３の雄バックル３３１Ｌ，���３１Ｒ同士を雌嵌合してバッグ３と背負いベルト４とを連結する。その後、左肩用及び右肩用の肩紐４２Ｌ，４２Ｒの下端部をバッグ３の底面の３つのリング体３１Ｃ，３１Ｌ，３１Ｒに挿通して交差させ当該肩紐４２Ｌ，４２Ｒ各々のフック体４２６１Ｌ，４２６１Ｒを上記２本の脚２２各々に巻き付け固定された引っ掛けベルト５のリング５２に引っ掛ける。この状態で、左肩用及び右肩用の肩紐４２Ｌ，４２Ｒの内側に左右の腕を通せば、カメラ設置装置２を背中で背負うことができる。このとき、両手は自由状態となっているので、バイクや自転車に乗ってカメラ設置装置２を運搬することも可能となると共に、上記撮影機材を含む荷物を収容したバッグ３と共にカメラ設置装置まるごとを背負って運搬できる。このように、カメラ設置装置２に対して特殊な加工や工夫を施すことなく、一般的な三脚であるカメラ設置装置２を背負って運搬できるから、本カメラ設置装置運搬具は、極めて汎用性に富んだものとなる。【００５９】  また、背負いベルト４の主紐４１及び保持紐４３をそれぞれカメラ設置装置２の雲台２１及びバッグ３に連結し、他方背負いベルト４の左肩用及び右肩用の肩紐４２Ｌ，４２Ｒの下端部をカメラ設置装置２の上記２本の脚２２に連結することによって、バッグ３は、カメラ設置装置２及び背負いベルト４の両者の間で挟まれた状態で吊り下げられることになる。そのため、カメラ設置装置２の荷重は、上記２本の脚２２を閉じ合わせる方向に作用する。その結果、カメラ設置装置２をバッグ３と共に背負ったときには、当該作用力により上記２本の脚２２が互いに上記他方の面３３に沿って自動的に近接する。また、上記左肩用及び右肩用の肩紐４２Ｌ，４２Ｒの下端部の実長を長くするようにすれば、上記２本の脚２２を開いた状態でカメラ設置２を背負って運搬できる。さらに、上記運搬時に、カメラ設置装置２は、上記カメラ設置装置保持面とされる他方の面３３に押し付けられるので、当該カメラ設置装置２を安定的に保持した状態で背負って運搬することができる。【００６０】  さらに、撮影ポイントにおいては、バッグ３を吊り下げた状態でそのまま脚２２を開いてカメラ設置装置２を設置することができる。このとき、運搬時に背負い面とされ、且つ、開閉可能とされたバッグ３の一方の面３２が撮影者と正対する。そのため、バッグ３とカメラ設置装置２とを分離させることなく、当該一方の面３２を開いてバッグ３内に収容された撮影機材やその他の荷物を取り出せる。加えて、盗難や置忘れを未然に防止できる。【００６１】  上述したように、上記脚２２をコンパクトに閉じ合わせた状態でカメラ設置装置２を背中で背負って運搬することができるのみならず、逆に上記脚２２を開いたままの状態でカメラ設置装置２を背中で背負って運搬することもできる。そのため、上記脚２２を閉じ合わせた状態でカメラ設置装置２を背負って運搬した場合には、その運搬形態を小とすることができる。他方、撮影ポイントを一場所から近くの他の場所に移す場合には、上記先の撮影ポイントとしての一の場所で雲台２１の台座２２に装着したカメラ１を取り外さずに上記脚２２を開いたままの状態でカメラ設置装置２を背負って上記他の場所に運搬するようにすれば、上記後���撮影ポイントとしての他の場所では、脚２２が開いているカメラ設置装置２をそのまま設置して即座に撮影を開始することができる。【００６２】  さらにまた、撮影機材を自動車で運搬する場合には、背負いベルト４をカメラ設置装置２に取り付けた状態で車の床面に立て、上記脚２２に巻き付けられた引っ掛かりベルト５から取り外した背負いベルト４を自動車の座席などに結び付けておけば、自動車で運搬中にカメラ設置装置２の横倒れなどを未然に防止できる。【００６３】＜実施の形態２＞
図１５を参照して、本実施の形態２に係るカメラ設置装置運搬具の特徴は、カメラ設置装置２背負って運搬するときに、バッグ３の両側となる側のまち３１に、背負いベルト４の左肩用及び右肩用の肩紐４２Ｌ，４２Ｒ各々を上記両側となるまち３１に沿わせた状態で保持する左右一対のサイドホルダ１０が設けられている点にある。【００６４】  サイドホルダ１０は、帯状の紐の一端部が挿通された雄バックル１０１と、帯状の紐の一端部が挿通された雌バックル１０２とを備え、維バックル１０１及び雌バックル１０２同士が挿抜自在に雄雌嵌合されることによって、左肩用及び右肩用の肩紐４２Ｌ，４２Ｒがバッグ３の両側に保持する。雄バックル１０１側の紐及び雌バックル１０２側の紐は、それぞれ、左右に長い紐であって、各他端部が上記まち３１に縫い合わされている。特に、雄バックル１０１側の紐は、当該雄バックル１０１に長さ調整自在に連結されている。これにより、肩紐４２Ｌ，４２Ｒをバッグ３の両側側で強固に締め付けて固定することができる。【００６５】  カメラ設置装置２の３本の脚２２を開いて撮影するときに、背負いベルト４の肩紐４２Ｌ，４２Ｒ各々を上記バッグ３の両側のまち３１に沿わせてサイドホルダ１０のバックル１０１，１０２を嵌め合わせれば、左肩用及び右肩用の肩紐４２Ｌ，４２Ｒが上記バッグ３の両側に沿って保持固定される。そのため、バッグ３の背負い面とされる一方の面３２を開閉する際に上記肩紐４２Ｌ，４２Ｒが邪魔にならず、当該一方の面３２の開閉操作を円滑に行えるようになる。【００６６】  なお、その他の構成及び作用・効果は実施の形態１と同様である。【００６７】  本発明は上記実施の形態１及び実施の形態２に限定されるものではない。例えば、背負いベルト４の左肩用及び右肩用の肩紐４２Ｌ，４２Ｒの間隔を調整するための調整紐を長さ調整可能に当該左肩用及び右肩用の肩紐４２Ｌ，４２Ｒに連結してもよい。この場合、運搬者の胸元で調整紐の余長部の実長を長くしたり又は短くしたりして、当該調整紐の実長を当該運搬者の肩幅に合わせて調整できる。そのため、肩紐４２Ｌ，４２Ｒの間隔を運搬者の肩幅に合わせることができ。その結果、カメラ設置装置２を背負って運搬する際には、肩紐４２Ｌ，４２Ｒが肩からずれることはない。その結果、カメラ設置装置２及びバッグ３が背負い易くなり、運搬時の疲労も少なくなる。また、背負いベルト４の保持紐４３の構成を引っ掛けベルト５と同様の構成としてもよい。この場合、保持紐４３を上記雲台２１の棒材に対して強固に巻き付け固定することができると共に、雲台２１に巻き付ける際の保持紐４３の滑りや雲台２１に巻き付け固定された保持紐４３の位置ずれを防止できる。その他、本明細書に添付した特許請求の範囲内での種々の設計変更及び修正を加え得ることは勿論である。
【産業上の利用可能性】
【００６８】  本発明は、バッグに入れて運搬しにくい、あるいはバッグに入れて運搬することのできない、カメラ設置装置に対して特殊な加工や工夫を施すことなく、当該カメラ設置装置を背負って運搬できるゆえ、カメラ設置装置を背中で背負って運搬する際に利用される運搬具として有用である。
【図面の簡単な説明】
【００６９】
【図１】  本発明の実施の形態１に係るカメラ設置装置運搬具を利用してカメラ設置装置を背負っている状態を示す図
【図２】  撮影ポイントにおいてバッグを吊り下げたままカメラ設置装置を設置した状態を示す撮影者側から視た斜視図
【図３】  撮影ポイントにおいてバッグを吊り下げたままカメラ設置装置を設置した状態を示す被写体側から視た斜視図
【図４】  バッグの一方の面を開いた状態を示す斜視図
【図５】  バッグの一方の面を開いた状態を示す正面図
【図６】  バッグの背面図
【図７】  バッグの底面図
【図８】  バッグの縦断側面図
【図９】  バッグの横断平面図
【図１０】  背負いベルトの外観構成を示す斜視図
【図１１】  主紐の構成を示しており、同図（Ａ）は正面図、同図（Ｂ）は背面図
【図１２】  肩紐の要部拡大正面図
【図１３】  肩紐の要部拡大背面図
【図１４】  引っ掛けベルトの構成を示しており、同図（Ａ）は正面図、同図（Ｂ）は背面図、同図（Ｃ）は脚に巻き付け固定した状態を示す斜視図
【図１５】  本発明の実施の形態２に係るカメラ設置装置の構成を示す斜視図
【符号の説明】
【００７０】  １  カメラ
２  カメラ設置装置
２１  雲台
２２  脚
３  バッグ
３１  まち
３１Ｃ，３１Ｌ，３１Ｒ  リング体
３２  一方の面
３３  他方の面
３３１Ｌ，３３１Ｒ  雄バックル
３５  把手
４  背負いベルト
４１  主紐
４１１Ｌ，４１１Ｒ  雌バックル
４２Ｌ，４２Ｒ  肩紐
４３  保持紐
５  引っ掛けベルト
５１  ベルト本体
５２  リング
５３  締め付け部材
５４  結束体
５５，５６  ホック
６  軟質部材
７  硬質部材
７１  凹溝
８１，８２  仕切り板
８１１，８２１  凹溝
【図１】
2005299908.tif 000003
【図２】
2005299908.tif 000004
【図３】
2005299908.tif 000005
【図４】
2005299908.tif 000006
【図５】
2005299908.tif 000007
【図６】
2005299908.tif 000008
【図７】
2005299908.tif 000009
【図８】
2005299908.tif 000010
【図９】
2005299908.tif 000011
【図１０】
2005299908.tif 000012
【図１１】
2005299908.tif 000013
【図１２】
2005299908.tif 000014
【図１３】
2005299908.tif 000015
【図１４】
2005299908.tif 000016
【図１５】
2005299908.tif 000017
【手続補正書】
【提出日】平成16年8月18日(2004.8.18)
【手続補正１】
【補正対象書類名】特許請求の範囲
【補正対象項目名】全文
【補正方法】追加
【補正の内容】
【特許請求の範囲】
【請求項１】
カメラが着脱される雲台、及びこの雲台に対して開閉自在とされた３本の脚を備えたカメラ設置装置を背負って運搬できるようにした運搬具であって、
このカメラ設置装置運搬具は、
まち、及びこのまちを挟んで相対向する一対の面によって所要の撮影機材を含む荷物を収容する収容空間が区画形成されると共に当該一対の面のうち一方の面が開閉可能とされたバッグと、
このバッグの一対の面のうち開閉可能とされた一方の面を背負い面とすると共に他方の面をカメラ設置装置保持面として、当該バッグに着脱自在に装着される背負いベルトと、
一端部に第１の係合部材が取り付けられ、上記３本の脚のうち上記バッグのカメラ設置装置保持面とされる他方の面に沿って互いに近接又は離間する方向に開閉する２本の脚の所定部位にそれぞれ着脱自在に巻き付けられる２本の引っ掛けベルトとを含み、
上記背負いベルトは、左右両端にそれぞれ第１の嵌合部材が取り付けられた、左右に長い主紐と、この主紐の外面に上端部が左右方向に所定間隔を開けた状態で吊り下げされると共に下端部に第２の係合部材が取り付けられた、上下に長い左右一対の肩紐と、上記主紐の内面中央部に縫い合わされ、上記雲台に巻き付けられる、左右に長い保持紐とを備え、
上記カメラ設置装置保持面とされる他方の面の所定位置には、上記主紐の左右両端の第１の嵌合部材と挿抜自在に雄雌嵌合される一対の第２の嵌合部材が左右方向に所定間隔を開けた状態で取り付けられ、
上記左肩用及び右肩用の肩紐の第２の係合部材は、それぞれ、上記バッグの底面側で当該左肩用及び右肩用の肩紐の下端部を互いに交差させた状態で、上記２本の脚に巻き付けられた各引っ掛けベルトの第１の係合部材に係合されることを特徴とするカメラ設置装置運搬具。
【請求項２】
上記カメラ設置装置を背負って運搬するときに、上記バッグの上面とされる側のまちには、当該まちと共に上記左肩用及び右肩用の肩紐を挿通する挿通空間を区画する把手が取り付けられ、他方上記バッグの底面とされる側のまちには、上記左肩用及び右肩用の肩紐の下端部を挿通させて当該左肩用及び右肩用の肩紐を互いに交差させるための３つの挿通部材が線対称の三角関係をなすように取り付けられ、
これら３つの挿通部材のうち、上記三角関係の頂点をなす中央挿通部材は、上記左肩用及び右肩用の肩紐の挿通方向下流側であって上記カメラ設置装置保持面とされる他方の面側に配置され、他方上記三角関係の底辺をなす左右の挿通部材は、上記左肩用及び右肩用の肩紐各々の挿通方向上流側であって上記背負い面とされる一方の面側に中央挿通部材を挟んで等間隔を開けた状態で配置されていることを特徴とする請求項１に記載のカメラ設置装置運搬具。
【請求項３】
上記引っ掛けベルトは、上記脚に巻き付けられる長手のベルト本体と、このベルト本体の一端部に上記第１の係合部材よりも一端側に所定間隔を開けて挿通された締め付け部材と、上記ベルト本体の一端部の内面において上記第１の係合部材及び締め付け部材同士を隔てるように当該ベルト本体の長手方向と直交する方向に沿って配置された短冊状の結束体とを備え、上記ベルト本体の一端側の余長部を他端側に向かって折り返して上記第１の係合部材及び締め付け具並びに上記結束体を挟み込んで上記ベルト本体の基部の内面に結合させることによってＴ字状をなし、
上記ベルト本体の外面の所定領域には、上記ベルト本体の上記脚への巻き付け状態を保持するための面状ファスナが取り付けられ、
上記結束体の両自由端部の内面には、互いに雄雌嵌合により結合される止め具が取り付けられていることを特徴とする請求項１又は２に記載のカメラ設置装置運搬具。
【請求項４】
上記折り返されたベルト本体の一端側の余長部は、滑り止め部とされていることを特徴とする請求項３に記載のカメラ設置装置運搬具。
【請求項５】
上記バッグの外面は、軟質部材で覆われ、他方上記バッグのまち及びカメラ設置装置保持面となる他方の面の内面は、硬質部材で覆われていることを特徴とする請求項１乃至４の何れかに記載のカメラ設置装置運搬具。
【請求項６】
上記バッグの収容空間を縦横に仕切るための複数の仕切り板をさらに含み、
上記硬質部材の外面には、複数の係止溝が上記収容空間の奥行き方向に沿って貫通して形成され、
上記各仕切り板の主要部の内外両面には、複数の係止溝が当該仕切り板の幅方向に沿って貫通して形成され、
上記各仕切り板の長さ方向に沿う周端部は、上記まち側の係止溝及び／又は他の仕切り板側の係止溝に係止されることを特徴とする請求項５に記載のカメラ設置装置運搬具。